(57)【要約】【課題】少ない装置構成において大きい音を出力する警光灯を提供することが可能な技術の提供。【解決手段】外部に光を出力する発光部とスピーカドライバとを備える本体と、前記本体に取り付けられる２個のスピーカホーンと、を備え、前記本体が、前記スピーカドライバにおける音の出力口と前記２個のスピーカホーンにおける音の入力口とを空洞によって連結する音伝導部を備えている、警光灯を構成する。【選択図】図１
2015047993.tif 000002
【特許請求の範囲】
【請求項１】
外部に光を出力する発光部とスピーカドライバとを備える本体と、
前記本体に取り付けられる２個のスピーカホーンと、を備え、
前記本体が、前記スピーカドライバにおける音の出力口と前記２個のスピーカホーンにおける音の入力口とを空洞によって連結する音伝導部を備えている、
警光灯。
【請求項２】
前記本体は、
前記発光部と前記スピーカドライバと前記２個のスピーカホーンとを支持する支持部を備え、
前記音伝導部は、前記支持部に形成された
前記出力口に連結される第１の開口部と、
前記入力口に連結される第２の開口部と、
前記第１の開口部から前記第２の開口部まで延びる音道と、によって構成される、
請求項１に記載の警光灯。
【請求項３】
前記第２の開口部は、前記２個のスピーカホーンの移動方向に長い穴であり、
前記支持部は、前記２個のスピーカホーンを前記移動方向に移動可能に支持する、
請求項２に記載の警光灯。
【請求項４】
前記音道が延びる方向に垂直な方向における当該音道の断面形状は一定の形状であり、
前記第２の開口部と前記入力口との間には、前記第２の開口部と前記入力口との間の空洞の形状を前記一定の形状と同一にする空洞形状調整部材が取り付けられる、
請求項２または請求項３のいずれかに記載の警光灯。
【発明の詳細な説明】
【技術分野】
【０００１】
本発明は、警光灯に関する。
【背景技術】
【０００２】
従来、電球やＬＥＤ等の発光素子の光を外部に出力可能な、車両の上部に取り付けられる警光灯が知られている。例えば、特許文献１においては、車両の上部に対して車両の左右方向に長い警光灯を取り付ける構成において、左右方向の中央にスピーカドライバが配置され、当該スピーカドライバに取り付けられたスピーカホーンによってスピーカドライバからの出力音を増幅させる構成が開示されている。また、特許文献２においては、車両の上部に対して車両の左右方向に長い警光灯を取り付ける構成において、ドライブ部とスピーカとが一体となったユニットが左右方向の両端側に取り付けられる構成が開示されている。
【先行技術文献】
【特許文献】
【０００３】
【特許文献１】特許第３６１３１２８号公報
【特許文献２】特許第４５１５３７６号公報
【発明の概要】
【発明が解決しようとする課題】
【０００４】
従来の技術においては、少ない装置構成において大きい音を出力する警光灯を提供することができなかった。すなわち、従来の技術においては、スピーカドライバとスピーカホーンとが一体となっており、スピーカドライバとスピーカホーンとの組が１組である特許文献１よりも大きい音を出力するためには、特許文献２のようにスピーカドライバとスピーカホーンとの組の数を増加させる必要があった。このように、スピーカドライバとスピーカホーンとの組の数を増加させると重量およびコストが増加してしまう。
本発明は、前記課題にかんがみてなされたもので、少ない装置構成において大きい音を出力する警光灯を提供することが可能な技術の提供を目的とする。
【課題を解決するための手段】
【０００５】
前記目的を達成するため、外部に光を出力する発光部とスピーカドライバとを備える本体と、本体に取り付けられる２個のスピーカホーンと、を備え、本体が、スピーカドライバにおける音の出力口と２個のスピーカホーンにおける音の入力口とを空洞によって連結する音伝導部を備えている、警光灯を構成する。すなわち、スピーカドライバの出力音の指向性や共鳴の状態をスピーカホーンによって調整する構成において、スピーカドライバの出力音を音伝導部でスピーカホーンに伝達することにより、スピーカドライバ１個に対して少なくとも２個のスピーカホーンが組となるように構成する。以上の構成によれば、１個のスピーカドライバによって２個以上のスピーカホーンから指向性や共鳴の状態が調整された音を出力することが可能であり、少ない装置構成において大きい音を出力する警光灯を提供することができる。
【０００６】
ここで、本体は、少なくとも発光部とスピーカドライバと音伝導部とを備えており、発光部は、緊急時であることや作業中であることなど、所定の意味を表す光を警光灯の周囲に対して出力することができればよい。発光部の光源は特に限定されず、ＬＥＤ等の発光素子やハロゲンランプ等の電球などによって光源を構成可能である。むろん、発光部は光源のからの光の出力方向を回転させる回転灯として構成されていても良いし、光源からの出力光の強度を変化させることで出力光を調整する構成であっても良い。
【０００７】
スピーカドライバは、スピーカドライバの出力口からサイレン等の音を出力するための装置であり、例えば、電源、アンプ、振動板（ダイヤフラム）、磁石、ボイスコイル、出力音データの蓄積部などから構成された装置等を想定可能である。
【０００８】
スピーカホーンは、入力口から入力した音の指向性や共鳴の状態を調整し、所望の周波数の音（例えば、サイレン音等）が所望の位置で充分な大きさとなるように音を調整することができればよい。従って、例えば、レフレックスホーンスピーカのように入力口から入力した音の進行方向が複数回変化するとともに音の進行とともに断面積が徐々に大きくなるような音の伝達路を備える構成等を想定可能である。
【０００９】
音伝導部は、スピーカドライバにおける音の出力口と２個のスピーカホーンにおける音の入力口とを空洞によって連結する部位であればよい。すなわち、スピーカドライバの出力口とスピーカホーンの入力口とが任意の形状の中空の管体によって接続されることにより、スピーカドライバの出力口から出力された音が当該管体の内部の空洞を伝達してスピーカホーンの入力口に達するように構成されていれば良い。音伝導部においては、スピーカドライバの出力口と２個のスピーカホーンの入力口とを一連の空洞で結びつけていてもよいし、スピーカドライバの出力口と１個のスピーカホーンの入力口とを一連の空洞で結びつける管体が複数個構成されてもよい。
【００１０】
音伝導部は、本体の一部であれば良く、音伝導部を構成する管体が他の機能を有する部材と一体で構成されても良いし別体で構成されても良い。前者の例としては、例えば、本体が、発光部とスピーカドライバと２個のスピーカホーンとを支持する支持部を備え、当該支持部と音伝導部とが一体として構成されている例を想定可能である。
【００１１】
具体的には、支持部に形成された、出力口に連結される第１の開口部と、入力口に連結される第２の開口部と、第１の開口部から第２開口部まで延びる音道と、によって音伝導部が構成される例を想定可能である。すなわち、発光部とスピーカドライバと２個のスピーカホーンとを支持する支持部に、第１の開口部および第２の開口部で開口した中空の音道を形成し、第１の開口部にスピーカドライバの出力口を連結し、第２の開口部にスピーカホーンの入力口を連結する構成とする。この構成によれば、スピーカドライバの出力口から出力された音が音道を介してスピーカホーンの入力口に伝達される。そして、支持部と音伝導部とが一体的に構成されることにより、少ない装置構成において大きい音を出力する警光灯を提供することができる。
【００１２】
さらに、２個のスピーカホーンを本体に対して取り付ける位置が調整可能に構成されていても良い。例えば、第２の開口部は、２個のスピーカホーンの移動方向に長い穴であり、支持部は、２個のスピーカホーンを前記移動方向に移動可能に支持する構成としても良い。すなわち、２個のスピーカホーンの入力口は、支持部に形成された音道の開口部としての第２の開口部と接続される。従って、スピーカホーンが移動されると、スピーカホーンの入力口と第２の開口部との相対位置関係が変化する。このように相対位置関係が変化する状況においてスピーカドライバからスピーカホーンまで音を伝達するためには、どのように移動されたとしてもスピーカドライバからスピーカホーンまでの一連の空洞を形成しているように構成されている必要がある。
【００１３】
そこで、第２の開口部を２個のスピーカホーンの移動方向に長い穴として構成すれば、スピーカホーンの入力口を第２の開口部の複数の位置に連結可能であるとともに、どの位置に連結されているとしてもスピーカドライバからスピーカホーンまでの一連の空洞が形成されているように構成することが可能になる。なお、支持部がスピーカホーンを移動可能に支持するための構成としては、種々の構成を採用可能であり、スピーカホーンを支持部に対してスライド移動させることができるように構成するとともに、複数の位置や任意の位置でスピーカホーンと支持部とを連結できるように構成すれば良い。以上の構成によれば、２個のスピーカホーンの位置を調整することが可能である。なお、２個のスピーカホーンの移動方向を平行または同一線上とすれば、２個のスピーカホーンの間隔を調整可能になる。
【００１４】
さらに、音伝導部は、空洞を音の伝達路としてスピーカドライバからの出力音をスピーカホーンに伝達する構造であるため、音の無用な反射や共鳴等を防止して効率的に音を伝達できるように空洞の形状が規定されていることが好ましい。そこで、音道が延びる方向に垂直な方向における当該音道の断面形状が一定の形状となるように構成しても良い。すなわち、音道が延びる方向に沿って音道の内径の大きさおよび形状が維持されるように構成しても良い。この構成によれば、音道内における音の無用な反射や共鳴等を防止して効率的に音を伝達することができる。
【００１５】
また、支持部に形成された第２の開口部とスピーカホーンの入力口との相対位置関係はスピーカホーンの移動に伴って変化する。そこで、支持部に形成された第２の開口部とスピーカホーンの入力口との間に、支持部に形成された第２の開口部とスピーカホーンの入力口との間の空洞の形状を一定の形状（音道の断面形状）と同一にする空洞形状調整部材が取り付ける構成としても良い。すなわち、支持部に形成された第２の開口部とスピーカホーンの入力口との間の空洞の形状も、音道の内側の空洞の形状と同一になるように構成する。この構成によれば、支持部に形成された第１の開口部よりスピーカホーン側において、スピーカホーンの入力口に至るまでの空洞の形状を一定の形状とすることができる。従って、音道内における音の無用な反射や共鳴等を防止して効率的に音を伝達することができる。なお、音道内の空洞の形状としての一定の形状（音道の断面形状）は、多角形でも良いし円形でも良く、特に限定されない。
【００１６】
なお、空洞形状調整部材としては種々の態様を想定可能であり、支持部に形成された第２の開口部とスピーカホーンの入力口との間に介在するとともに、支持部に形成された第２の開口部からスピーカホーンの入力口へつながる空間の形状を一定の形状にした状態を維持した状態でスピーカホーンを移動させることが可能な部材等を想定可能である。また、音道に挿入されることで、支持部に形成された第２の開口部とスピーカホーンの入力口との間の空間の形状を調整できる部材を構成しても良く、種々の構成を想定可能である。
【図面の簡単な説明】
【００１７】
【図１】（１Ａ）は本発明の一実施形態にかかる警光灯の斜視図、（１Ｂ）は警光灯の分解斜視図である。
【図２】（２Ａ）は警光灯の分解斜視図、（２Ｂ）は支持部の拡大斜視図である。
【図３】（３Ａ）〜（３Ｃ）は挿入部を示す図、（３Ｄ）（３Ｅ）はシール部を示す図、（３Ｆ）は空洞形状調整部材を取り付けた状態における断面図である。
【発明を実施するための形態】
【００１８】
ここでは、下記の順序に従って本発明の実施の形態について説明する。
（１）警光灯の構成：
（２）空洞形状調整部材：
（３）他の実施形態：
【００１９】
（１）警光灯の構成：
図１Ａは本発明の一実施形態にかかる警光灯１０の斜視図である。警光灯１０は、本体２０と当該本体に取り付けられる２個のスピーカホーン３０とを備えている。同図１Ａに示すように、本体２０は一方に長いほぼ直方体の外形を有しており、その一面（下面）にスピーカホーン３０が２個取り付けられる。警光灯１０は、車両の上部に取り付けて使用される。すなわち、本体２０の長手方向と車両の左右方向とが平行になるように警光灯１０が車両の上部に取り付けられる。なお、本明細書では、図１Ａに示すように、車両の左右方向に平行な方向をｘ軸方向とし、ｘ軸方向に垂直であるとともに車両の前後方向に平行な方向をｙ軸方向とし、ｘ軸方向およびｙ軸方向に垂直な鉛直方向をｚ軸方向として座標軸を定義して説明をする。なお、この座標系において車両から見た上下方向、左右方向、前後方向を図１Ａに示す座標系に併記してある。
【００２０】
本体２０は、外部に光を出力する発光部（図示せず）を備えており、本実施形態において発光部には、複数のＬＥＤ素子と当該複数のＬＥＤ素子を所定の発光パターンで発光させるための装置が備えられている。当該装置に対しては、車両からＬＥＤ素子の発光開始等の指示を行うことが可能であり、ＬＥＤ素子の光が外部に出力されることにより、緊急等の所定の意味を有する光を警光灯１０から出力した状態で車両を走行させることができる。
【００２１】
図１Ｂおよび図２Ａは、警光灯１０の分解斜視図であり、本体２０とスピーカホーン３０とが分解された状態において、さらに本体２０を分解した状態を示している。なお、図１Ｂは上方から眺めた分解斜視図、図２Ａは下方から眺めた分解斜視図である。本体２０は、カバー２０ａと支持部２０ｂとを備えており、一部の部位（発光部等）は省略して示している。カバー２０ａは、透明な有彩色（黄、黄赤、赤、青等）の樹脂で形成されており、内部に発光部を収容可能であるとともに、発光部から出力される光が外部から視認可能である。
【００２２】
支持部２０ｂは、アルミニウム製の薄い板によって構成される中空の部材であり、外形はほぼ直方体である。支持部２０ｂはカバー２０ａを支持することが可能であり、支持部２０ｂでカバー２０ａを支持した状態（支持部２０ｂにカバー２０ａを取り付けた状態）において本体２０はほぼ直方体であり、支持部２０ｂはその底面（ｘ−ｙ平面に平行な面のなかの下側の面）を形成する。
【００２３】
支持部２０ｂにおいては、ｙ軸方向の中央にｘ軸方向に平行な方向に延びる中空の音道２０ｃが形成されている。図２Ｂは、支持部２０ｂのｘ軸方向の端部を拡大した図であり、同図２Ｂに示すように、支持部２０ｂにおいては、ｚ−ｙ平面に垂直な方向の断面が長方形である音道２０ｃがｘ軸方向に平行な方向に延びて支持部２０ｂを貫通している。従って、音道２０ｃはｘ軸方向の全長にわたってｚ−ｙ平面に垂直な方向の断面形状が一定の形状であるとともに、ｘ軸方向の全長にわたって断面積が一定である。
【００２４】
支持部２０ｂの上面には、図２Ｂに示すようにｘ軸方向に平行な方向に２本のレール２０ｅが形成されており、当該レール２０ｅにはナットを挿入するとともにナットの位置を任意の位置に移動させることができる。また、ナットは、ネジ穴をレール２０ｅの開口部に向けた状態（上方に向けた状態）で挿入され、上方側からネジをナットに挿入することにより、任意の位置においてネジをナットに締め付けることができる。
【００２５】
支持部２０ｂの上面の中央には図１Ｂに示すようにスピーカドライバ２０ｄが支持される。すなわち、スピーカドライバ２０ｄは、径が徐々に小さくなる円形の部位を直方体の部位２０ｄ１に挿入することによって構成され、当該直方体の部位２０ｄ１には複数の箇所にネジ穴が形成されている。そして、当該ネジ穴にネジが挿入されてレール２０ｅに挿入されたナットとネジとを締め付けることによって、スピーカドライバ２０ｄが支持部２０ｂの上面の中央に支持される。
【００２６】
スピーカドライバ２０ｄは、振動板（ダイヤフラム）、磁石、ボイスコイル等を備えた装置であり、振動板を振動させることによって出力される音を直方体の部位２０ｄ１の下面に形成された出力口（図示せず）から出力させることが可能である。支持部２０ｂの上面の中央にはスピーカドライバ２０ｄの出力口に対応した第１の開口部が形成されており（図示せず）、当該第１の開口部は音道２０ｃにつながっている。なお、スピーカドライバ２０ｄは、スピーカドライバ２０ｄの出力口と第１の開口部との間に図示しないシール部材（パッキン）を挟んだ状態で支持部２０ｂに取り付けられる。従って、スピーカドライバ２０ｄの出力口から出力された音は、支持部２０ｂの外部に漏れることなく音道２０ｃ内に伝達される。なお、支持部２０ｂのｘ軸方向の両端には、板状の部材２０ｆが取り付けられ、音道２０ｃを塞ぐように構成されている。
【００２７】
スピーカホーン３０は、支持部２０ｂの下面に支持される。すなわち、支持部２０ｂの下面には、図２Ｂに示すようにｘ軸方向に平行な方向に２本のレール２０ｇが形成されており、当該レール２０ｇにはナットを挿入するとともにナットの位置を任意の位置に移動させることができる。また、ナットは、ネジ穴をレール２０ｇの開口部に向けた状態（下方に向けた状態）で挿入され、下方側からネジをナットに挿入することにより、任意の位置においてネジをナットに締め付けることができる。
【００２８】
支持部２０ｂの下面のｘ軸方向の両端には図１Ａに示すようにスピーカホーン３０が支持される。すなわち、スピーカホーン３０は、入力口から入力した音の指向性や共鳴の状態を調整し、サイレン音が所望の位置で充分な大きさとなるように音を調整する構造が収容されたユニットである。なお、本実施形態においては、２個のスピーカホーン３０の双方において調整済みの音が前方に向けて出力するようにスピーカホーン３０の内部の音道が形成されている。
【００２９】
当該スピーカホーン３０の上面には、図１Ｂにおいてスピーカホーン３０の一方に示しているように音の入力口３０ｂが形成されており、当該スピーカホーン３０の筐体の上下の外面にはネジを貫通させるための穴３０ａが４カ所に形成されている。これらの穴３０ａの内側にはネジを貫通させるための図示しないボスが形成されており、下面の穴３０ａにネジを挿入して上面の穴３０ａの上方までネジを貫通させることができる。従って、図２Ａに一点鎖線の矢印で示すように、穴３０ａに対して下方からネジが挿入されてレール２０ｇに挿入されたナットと当該ネジとを締め付けることによって、スピーカホーン３０が支持部２０ｂの下面のｘ軸方向の両端に支持される。
【００３０】
本実施形態において、スピーカホーン３０を支持部２０ｂに取り付ける位置は、ｘ軸方向に変化させることが可能である。すなわち、支持部２０ｂの下面においては、スピーカホーン３０の取付位置に対応する２カ所に第２の開口部２０ｈが形成されている。第２の開口部２０ｈは、ｘ軸方向に長く、長手方向の縁がｘ軸方向に平行な直線であるとともにｘ軸方向の両端において縁が半円形である。
【００３１】
さらに、スピーカホーン３０の上面の中央には上述のように音の入力口３０ｂが形成されており、当該入力口３０ｂには、図１Ｂにおいてスピーカホーン３０の一方に示しているように、空洞形状調整部材４０（後に詳述）が挿入されて固定された状態となっている。そして、支持部２０ｂに形成された第２の開口部２０ｈ（図２Ａ参照）には、スピーカホーン３０の入力口に連結される空洞形状調整部材４０を挿入可能であるとともに、第２の開口部２０ｈに空洞形状調整部材４０を挿入した状態で空洞形状調整部材４０をｘ軸方向にスライドさせることが可能である。
【００３２】
また、ナットの位置は、レール２０ｇ内で任意の位置に調整することができる。従って、本実施形態においては、スピーカホーン３０の取付位置をｘ軸方向に変化させつつスピーカホーン３０を支持部２０ｂに対して取り付けることができる。以上のように、本実施形態においては、支持部２０ｂに対するスピーカホーン３０の取付位置をｘ軸方向に沿って変化させることができる。従って、警光灯１０を構成する２個のスピーカホーン３０の間隔を調整することが可能であり、車両の上面の大きさが異なる種々の車両に対して警光灯１０を取り付けることが可能である。また、車両の周囲における所望の位置の音圧の大きさを最適化することが可能である。
【００３３】
さらに、本実施形態においては、スピーカドライバ２０ｄの出力口から出力された音が音道２０ｃの内側を伝達してスピーカホーン３０の入力口３０ｂに入力し、スピーカホーン３０内で入力口から入力した音の指向性や共鳴の状態が調整されて外部に出力される。この結果、車両の外部において充分に大きな音圧で音を聞くことができ、少ない装置構成において大きい音を出力する警光灯を提供することができる。
【００３４】
なお、警光灯１０における２個のスピーカホーン３０のそれぞれを支持部２０ｂの中央から３２０ｍｍの位置に配置（スピーカホーン３０の中央の距離が６４０ｍｍ）した場合と、２個のスピーカホーン３０を支持部２０ｂの中央に配置して両者の距離を０ｍｍとした場合とについて、警光灯１０の前方２０ｍの位置にマイクを配置し、スピーカドライバ２０ｄから８５０Ｈｚのサイレン音を出力して音圧を測定した。この結果、前者においては９３ｄＢ、後者においては８８ｄＢであった。前者は２個のスピーカホーン３０の実際の使用状況、後者はスピーカホーンが実質的に中央に１個配置された状況に近い。従って、本実施形態においては、実際の使用状況において、少ない装置構成において大きい音を出力可能であることが確認された。
【００３５】
（２）空洞形状調整部材：
次に、空洞形状調整部材４０を詳細に説明する。本実施形態において、空洞形状調整部材４０は、第２の開口部２０ｈおよび入力口３０ｂに挿入される挿入部４０ａとシール部材４０ｂとを備えている。図３Ａは挿入部４０ａの上面図、図３Ｂは挿入部４０ａの側面図、図３Ｃは挿入部４０ａの下面図であり、図３Ｄはシール部材４０ｂの上面図、図３Ｅはシール部材４０ｂの側面図である。
【００３６】
挿入部４０ａは、弾性のある樹脂製の部材であり、図３Ａ〜図３Ｃに示すように、板状の部位４０ａ１から上方に延びる半円柱部４０ａ２と矩形部４０ａ３とを備え、さらに、板状の部位４０ａ１から下方に延びるフランジ部４０ａ４を備えている。板状の部位４０ａ１には、矩形の穴４０ａ５が形成されており、当該矩形の穴４０ａ５の形状は、図２Ｂに示す音道２０ｃのｚ−ｙ平面に垂直な方向の断面の形状と同一である。
【００３７】
半円柱部４０ａ２は、半円柱部４０ａ２の軸方向（図３Ｂにおける高さ方向）と垂直な方向の断面の形状が、長方形の一辺に対して当該一辺の長さと直径が等しい半円を結合して形成される図形の形状となっており、当該半円の直径Ｄは、図２Ａに示す第２の開口部２０ｈのｘ軸方向の両端に形成される半円の直径と同一である。また、当該半円の直径Ｄは、第２の開口部２０ｈの幅（第２の開口部２０ｈのｘ軸方向に平行な縁同士の距離）と同一である。
【００３８】
さらに、矩形部４０ａ３は直方体状の部位であり、一辺の長さが半円柱部４０ａ２の半円の直径Ｄと同一である。従って、本実施形態において、挿入部４０ａの半円柱部４０ａ２と矩形部４０ａ３とを第２の開口部２０ｈに対して挿入可能であるとともに、挿入部４０ａを第２の開口部２０ｈに挿入した状態で挿入部４０ａを第２の開口部２０ｈが延びる方向（図２Ａに示すｘ軸方向）にスライド移動させることが可能である。
【００３９】
フランジ部４０ａ４は、穴４０ａ５を内径とする中空の四角柱状の部位であるとともに最下部にフランジ状の部位が形成されている。さらに、フランジ状の部位と板状の部位４０ａ１との間の距離は、スピーカホーン３０の上面を構成する部材の厚さとほぼ同一であるとともに、フランジ状の部位と板状の部位４０ａ１との間の部位の外周の形状は、スピーカホーン３０の入力口３０ｂの内径の形状とほぼ同一である。従って、フランジ部４０ａ４の最下部に形成されたフランジ状の部位をスピーカホーン３０の入力口３０ｂに挿入し、フランジ状の部位と板状の部位４０ａ１との間にスピーカホーン３０の上面を構成する部材を挟むことによって、挿入部４０ａをスピーカホーン３０の上面に対して取り付けることができる。このため、本実施形態においては、フランジ部４０ａ４をスピーカホーン３０の上面に対して取り付けた状態で、挿入部４０ａを第２の開口部２０ｈに対して挿入し、スピーカホーン３０をｘ軸方向に移動させることが可能である。
【００４０】
ただし、本実施形態においては、挿入部４０ａの周囲から音が漏れることを防止するため、挿入部４０ａと支持部２０ｂとの間にシール部材４０ｂを配置した状態でスピーカホーン３０を支持部２０ｂに取り付けるように構成されている。シール部材４０ｂは、弾性のある樹脂製の部材であり、矩形板状の部材である。シール部材４０ｂの中央には、図３Ａに示す板状の部位４０ａ１の外形よりもわずかに大きい長方形の穴４０ｂ１が形成されている。従って、挿入部４０ａの半円柱部４０ａ２と矩形部４０ａ３を穴４０ｂ１に挿入し、さらに、板状の部位４０ａ１の外周と穴４０ｂ１の内周とが接するように組み合わせることが可能である。
【００４１】
また、シール部材４０ｂの厚さＴは、矩形部４０ａ３の高さと板状の部位４０ａ１の高さとを合わせた高さＨとほぼ同一である。従って、挿入部４０ａの半円柱部４０ａ２と矩形部４０ａ３を穴４０ｂ１に挿入し、板状の部位４０ａ１の外周と穴４０ｂ１の内周とが接触した状態において、矩形部４０ａ３の上面とシール部材４０ｂの上面とはほぼ一致する。
【００４２】
以上の構成によれば、挿入部４０ａと支持部２０ｂとの間にシール部材４０ｂを配置し、ネジによりスピーカホーン３０を支持部２０ｂに取り付けると、第２の開口部２０ｈの縁の外周側においては、支持部２０ｂの下面でシール部材４０ｂが押しつぶされるが、第２の開口部２０ｈの縁の内周側において、シール部材４０ｂが押しつぶされることはない。従って、第２の開口部２０ｈの縁の内周側においては、図３Ｆに示すように、矩形部４０ａ３の上面とシール部材４０ｂの上面と支持部２０ｂの内側の音道２０ｃの内壁Ｗとがほぼ一致する。
【００４３】
そして、上述のように、穴４０ａ５の形状は、図２Ｂに示す音道２０ｃのｚ−ｙ平面に垂直な方向の断面の形状と同一である。従って、本実施形態においては、スピーカドライバ２０ｄの出力口よりも音道２０ｃ側において、スピーカホーン３０の入力口３０ｂに達するまで音が伝達される空洞の形状（音の進行方向に垂直な方向の形状）はほぼ同一であり、断面積もほぼ一定である。従って、音道内における音の無用な反射や共鳴等を防止して効率的に音を伝達することができる。
【００４４】
なお、スピーカホーン３０の下面は車両の上面に取り付けられる。このため、上述の実施形態においては、スピーカホーン３０の下面に車両の上面に取り付けるためのアタッチメント３０ｃが取り付けられている。そして、図２Ａに示すように、当該アタッチメント３０ｃは、スピーカホーン３０の下面の中央よりもｘ軸方向の端側に偏った位置に取り付けられている。例えば、図２Ａにおいて左側に示すスピーカホーン３０においてアタッチメント３０ｃは左側に偏った位置に取り付けられ、図２Ａにおいて右側に示すスピーカホーン３０においてアタッチメント３０ｃは右側に偏った位置に取り付けられている。
【００４５】
従って、図２Ａにおいて、スピーカホーン３０を入れ替えて取り付ける構成とすれば、入れ替えの前後においてアタッチメント３０ｃのｘ軸方向の間隔を変化させることができる。この結果、取り付け対象の車両の上面の幅や、取付位置などを柔軟に変化させながら取り付けることが可能である。むろん、アタッチメント３０ｃをスピーカホーン３０に対して取り付ける位置を変化させることで、アタッチメント３０ｃのｘ軸方向の間隔を変化させることができるように構成されていても良い。
【００４６】
（３）他の実施形態：
以上の実施形態は本発明を実施するための一例であり、１個のスピーカドライバからの出力音を音道によって２個以上のスピーカホーンに導く構成である限りにおいて、他にも種々の実施形態を採用可能である。例えば、スピーカホーン３０の向きは、図１Ａに示すように同一の向きである構成に限定されない。すなわち、スピーカホーン３０のいずれか１個を取り付けるに当たり、前後方向を図１Ａに示す方向と逆向きにしても良い。また、スピーカホーン３０の個数は２個以上であれば良い。
【００４７】
さらに、空洞形状調整部材４０の構成は上述の構成に限定されず、他にも種々の構成を採用可能である。例えば、音道２０ｃの両端から第２の開口部２０ｈに達する部材を音道２０ｃに対して挿入できるように構成し、当該部材で音道２０ｃを塞ぎながら当該部材が第２の開口部２０ｈの一部を塞ぐように構成し、塞がれていない部位の形状や面積を調整することによって、第２の開口部２０ｈとスピーカホーン３０の入力口３０ｂとの間の空洞の形状を調整するように構成しても良い。
【符号の説明】
【００４８】
１０…警光灯、２０…本体、２０ａ…カバー、２０ｂ…支持部、２０ｃ…音道、２０ｄ…スピーカドライバ、２０ｅ…レール、２０ｆ…部材、２０ｇ…レール、２０ｈ…第２の開口部、３０…スピーカホーン、３０ａ…穴、３０ｂ…入力口、３０ｃ…アタッチメント、４０…空洞形状調整部材、４０ａ…挿入部、４０ａ１…部位、４０ａ２…半円柱部、４０ａ３…矩形部、４０ａ４…フランジ部、４０ａ５…穴、４０ｂ…シール部材
【図１】
2015047993.tif 000003
【図２】
2015047993.tif 000004
【図３】
2015047993.tif 000005